(57)【要約】【課題】  複数の音声出力先の各々から出力される音声の音量を音源に応じて設定可能な移動通信端末装置を提供する。【解決手段】  移動通信端末装置の一態様である携帯電話１００は、アンテナ１０２と、アンテナ１０２により受信された信号の入力を受ける無線部１０４と、データを格納するメモリ１０６と、外部から指示の入力を受ける入力部１１０と、携帯電話１００から出力される音声の音量を制御するための制御部１２０と、画像を表示するための表示部１３０と、予め定められた規格に基づくケーブルの接続を受けるイヤホンジャック１４０と、電気信号に基づいて音声を出力するスピーカ１５０ａ，１５０ｂとを含む。【選択図】        図２
2006340062.tif 000002
【特許請求の範囲】
【請求項１】
無線電話のための第１の音声信号を受信する信号受信手段と、
前記第１の音声信号と異なる第２の音声信号を取得するための取得手段と、
前記第１の音声信号および前記第２の音声信号のいずれかに基づいて音声を出力する第１および第２の音声出力手段と、
指示の入力を受ける入力手段と、
前記指示に応じて、前記第１の音声信号に基づいて出力される第１の音声の音量を調節する第１の制御手段と、
前記指示に応じて、前記第２の音声信号に基づいて出力される第２の音声の音量を調節する第２の制御手段とを備える、移動通信端末装置。
【請求項２】
前記第２の音声信号は、コンテンツに含まれる信号であり、
前記取得手段は、
外部から、前記コンテンツを取得するためのコンテンツ取得手段と、
前記コンテンツ取得手段により取得されたコンテンツを格納する記憶手段と、
前記記憶手段に格納されているコンテンツを再生する再生手段とを含む、請求項１に記載の移動通信端末装置。
【請求項３】
前記第２の音声信号は、放送信号に含まれる信号であり、
前記取得手段は、
前記放送信号を受信するためのチャンネルを選択する選局手段と、
前記選局手段により選択されたチャンネルに対応する放送信号を受信するための放送信号受信手段とを含む、請求項１に記載の移動通信端末装置。
【請求項４】
前記第１の音声信号の出力先を特定するための第１の出力先データと、前記第２の音声信号の出力先を特定するための第２の出力先データとを格納する出力先情報記憶手段とをさらに備え、
前記第１の制御手段は、前記第１の出力先データに対応する出力先に、前記第１の音声信号を出力する第１の出力制御手段を含み、
前記第２の制御手段は、前記第２の出力先データに対応する出力先に、前記第２の音声信号を出力する第２の出力制御手段を含む、請求項１〜３のいずれかに記載の移動通信端末装置。
【請求項５】
前記無線電話による着信を検知する着信検知手段をさらに備え、
前記第１の制御手段は、前記着信の検知に応答して、前記第１の音声の音量を調節し、
前記第２の制御手段は、前記着信の検知に応答して、前記第２の音声の音量を調節する、請求項１〜４のいずれかに記載の移動通信端末装置。
【請求項６】
外部から入力される信号に基づいて、前記第１の音声の音量および前記第２の音声の音量のいずれかの変更の指示を検知する変更指示検知手段をさらに備え、
前記第１の制御手段は、前記変更の指示の検知に応答して、前記第１の音声の音量を変更する第１の変更手段を含み、
前記第２の制御手段は、前記変更の指示の検知に応答して、前記第２の音声の音量を変更する第２の変更手段を含む、請求項１〜５のいずれかに記載の移動通信端末装置。
【請求項７】
前記第１の音声の音量を規定するための第１の制御データと、前記第２の音声の音量を規定するための第２の制御データとを導出する導出手段をさらに備え、
前記第１の変更手段は、前記第１の制御データに基づいて前記第１の音声の音量を変更し、
前記第２の変更手段は、前記第２の制御データに基づいて前記第２の音声の音量を変更する、請求項６に記載の移動通信端末装置。
【請求項８】
前記導出手段は、
予め準備された複数の前記第１の制御データと、予め準備された複数の前記第２の制御データとを格納する記憶手段と、
前記入力手段を介した入力に応答して、各前記第１の制御データおよび各前記第２の制御データから、前記変更の指示に応じた第１の制御データと第２の制御データとを選択する選択手段を含む、請求項７に記載の移動通信端末装置。
【請求項９】
前記導出手段は、
前記第１の制御データと前記第２の制御データとの間で予め規定された関係を表わすためのデータを格納する記憶手段と、
前記入力手段を介した入力に応答して、前記関係を表わすためのデータに基づいて、各前記第１の制御データおよび各前記第２の制御データを算出する算出手段を含む、請求項７に記載の移動通信端末装置。
【発明の詳細な説明】
【技術分野】
【０００１】
本発明は移動通信端末装置の制御に関し、より特定的には、複数の音声出力先を備える移動通信端末装置の制御に関する。
【背景技術】
【０００２】
携帯電話に関し、その使用者がいわゆるコンテンツと称される映像あるいは音声を楽しんでいるときに着信があった場合に、コンテンツの再生音量を小さくし、あるいは、留守番電話として機能するものが開示されている（たとえば特開２００２−２１８０１９号公報（特許文献１））。
【特許文献１】特開２００２−２１８０１９号公報
【発明の開示】
【発明が解決しようとする課題】
【０００３】
しかしながら、通話中に通話の音とテレビやコンテンツの音の両方を出す場合に、コンテンツの音量を使用者の好みに設定できないという問題があった。また、コンテンツをスピーカ、通話をイヤホンというように２種類以上の出力先にできなかった。
【０００４】
本発明は、上述の問題点を解決するためになされたものであって、その第１の目的は、通話中に通話の音声とテレビジョン放送信号による音声やコンテンツの音を両方出す場合に、テレビやコンテンツの音量を使用者の好みに設定できる移動通信端末装置を提供することである。
【０００５】
本発明の第２の目的は、テレビ放送やコンテンツの音声の視聴と通話とを共に可能にする移動通信端末装置を提供することである。
【０００６】
本発明の第３の目的は、複数の音声出力先を備える移動通信端末装置における音声の出力の設定における利便性が向上する移動通信端末装置を提供することである。
【課題を解決するための手段】
【０００７】
上記の課題を解決するために、この発明のある局面に従うと、移動通信端末装置が提供される。この移動通信端末装置は、無線電話のための第１の音声信号を受信する信号受信手段と、第１の音声信号と異なる第２の音声信号を取得するための取得手段と、第１の音声信号および第２の音声信号のいずれかに基づいて音声を出力する第１および第２の音声出力手段と、指示の入力を受ける入力手段と、指示に応じて、第１の音声信号に基づいて出力される第１の音声の音量を調節する第１の制御手段と、指示に応じて、第２の音声信号に基づいて出力される第２の音声の音量を調節する第２の制御手段とを備える。
【０００８】
好ましくは、第２の音声信号は、コンテンツに含まれる信号である。取得手段は、外部から、コンテンツを取得するためのコンテンツ取得手段と、コンテンツ取得手段により取得されたコンテンツを格納する記憶手段と、記憶手段に格納されているコンテンツを再生する再生手段とを含む。
【０００９】
好ましくは、第２の音声信号は、放送信号に含まれる信号である。取得手段は、放送信号を受信するためのチャンネルを選択する選局手段と、選局手段により選択されたチャンネルに対応する放送信号を受信するための放送信号受信手段とを含む。
【００１０】
好ましくは、移動通信端末装置は、第１の音声信号の出力先を特定するための第１の出力先データと、第２の音声信号の出力先を特定するための第２の出力先データとを格納する出力先情報記憶手段とをさらに備える。第１の制御手段は、第１の出力先データに対応する出力先に、第１の音声信号を出力する第１の出力制御手段を含む。第２の制御手段は、第２の出力先データに対応する出力先に、第２の音声信号を出力する第２の出力制御手段を含む。
【００１１】
好ましくは、移動通信端末装置は、無線電話による着信を検知する着信検知手段をさらに備える。第１の制御手段は、着信の検知に応答して、第１の音声の音量を調節する。第２の制御手段は、着信の検知に応答して、第２の音声の音量を調節する。
【００１２】
好ましくは、移動通信端末装置は、外部から入力される信号に基づいて、第１の音声の音量および第２の音声の音量のいずれかの変更の指示を検知する変更指示検知手段をさらに備える。第１の制御手段は、変更の指示の検知に応答して、第１の音声の音量を変更する第１の変更手段を含む。第２の制御手段は、変更の指示の検知に応答して、第２の音声の音量を変更する第２の変更手段を含む。
【００１３】
好ましくは、移動通信端末装置は、第１の音声の音量を規定するための第１の制御データと、第２の音声の音量を規定するための第２の制御データとを導出する導出手段をさらに備える。第１の変更手段は、第１の制御データに基づいて第１の音声の音量を変更する。第２の変更手段は、第２の制御データに基づいて第２の音声の音量を変更する。
【００１４】
好ましくは、導出手段は、予め準備された複数の第１の制御データと、予め準備された複数の第２の制御データとを格納する記憶手段と、入力手段を介した入力に応答して、各第１の制御データおよび各第２の制御データから、変更の指示に応じた第１の制御データと第２の制御データとを選択する選択手段を含む。
【００１５】
好ましくは、導出手段は、第１の制御データと第２の制御データとの間で予め規定された関係を表わすためのデータを格納する記憶手段と、入力手段を介した入力に応答して、関係を表わすためのデータに基づいて、各第１の制御データおよび各第２の制御データを算出する算出手段を含む。
【発明の効果】
【００１６】
本発明に係る移動通信端末装置によると、その使用者が通話中に通話の音声とテレビジョン放送信号による音声やコンテンツの音を両方出す場合に、テレビやコンテンツの音量を使用者の好みに設定することができる。
【００１７】
本発明に係る移動通信端末装置によると、使用者は、テレビジョン放送やコンテンツの音声の視聴と通話への応対とを共に行なうことができる。
【００１８】
本発明に係る移動通信端末装置によると、当該装置が複数の音声出力先を備えていても、音声の出力の設定における利便性が向上し得る。
【発明を実施するための最良の形態】
【００１９】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２０】
＜第１の実施の形態＞
図１を参照して、本発明に係る移動通信端末装置の一態様である携帯電話１００について説明する。図１は、携帯電話１００とヘッドセット１９０とが接続されている状態を表わす図である。
【００２１】
携帯電話１００は、アンテナ１０２と、表示部１３０と、イヤホンジャック１４０と、決定ボタン１１０ａと、数字ボタン１１０ｂと、２つのスピーカ１５０ａ，１５０ｂとを含む。ヘッドセット１９０は、イヤホンジャック１４０に接続されている。
【００２２】
決定ボタン１１０ａは、その押下に応答して、表示部１３０に表示されている機能に対応した信号を出力する。決定ボタン１１０ａは、また携帯電話１００が通話処理を実行している場合には、いわゆるオンフックあるいはオフフックとしての指示の入力を受ける。なお、これらの機能は、押下に応じて信号を出力する決定ボタン１１０ａ以外の操作部によっても実現できる。たとえば、ボタンに代えて、ダイヤル式のような回転部を有する操作部によっても実現できる。
【００２３】
図２を参照して、携帯電話１００についてさらに説明する。図２は、携帯電話１００のハードウェア構成を表わすブロック図である。
【００２４】
携帯電話１００は、アンテナ１０２と、アンテナ１０２により受信された信号の入力を受ける無線部１０４と、データを格納するメモリ１０６と、外部から指示の入力を受ける入力部１１０と、携帯電話１００の動作を制御するための制御部１２０と、画像を表示するための表示部１３０と、予め定められた規格に基づくケーブルの接続を受けるイヤホンジャック１４０と、電気信号に基づいて音声を出力するスピーカ１５０ａ，１５０ｂとを含む。無線部１０４は、制御部１２０による制御に応じてアンテナ１０２を介して無線信号を発信する。制御部１２０と他の構成要素とは、信号線を介して接続されている。
【００２５】
メモリ１６０は、携帯電話１００の動作を制御するための制御データを格納するメモリ１０６ａと、コンテンツを格納するメモリ１０６ｂとを含む。制御データは、後述するように、出力音量を規定するためのデータと、あるいは制御部１２０に予め定められた処理を実行させるためのプログラムとを含む。
【００２６】
コンテンツは、たとえば、無線部１０４を介して受信した信号から取得された音楽その他の音声データ、あるいは動画として再生可能な映像音声データである。また、携帯電話１００が着脱可能な記録媒体を駆動してデータを読み出す機能を有する場合には、この記録媒体に格納されているコンテンツもメモリ１０６ｂに保持され得る。
【００２７】
制御部１２０は、コンテンツを再生するための処理を実行する再生部１２０ａと、携帯電話１００が有する通話機能を実現する通話制御部１２０ｂとを含む。制御部１２０は、たとえばＣＰＵ（Central  Processing  Unit）その他の演算処理装置と、後述する各機能を実現するためのプログラムとによって実現される。あるいは、制御部１２０は、各機能を実現する回路によって実現されてもよい。
【００２８】
好ましくは、入力部１１０は、無線電話のための第１の音声信号に基づいて出力される第１の音声の音量を調節するための指示の入力を受ける。入力部１１０は、また無線部１０４により受信されるデータ（たとえばテレビジョン放送信号など）に基づく音声の音量を調節するための第２の指示の入力を受ける。制御部１２０は、これらの指示に基づいて第１の音声の出力と第２の音声の出力とを制御する。
【００２９】
好ましくは、無線部１０４は、アンテナ１０２を介して受信される信号からコンテンツデータが含まれる情報を受信する。表示部１３０は、そのコンテンツデータに基づいて生成される映像を表示する。
【００３０】
図３を参照して、本実施の形態に係る携帯電話１００が備える制御部１２０の構成について説明する。図３は、制御部１２０の機能的構成を表わすブロック図である。
【００３１】
制御部１２０は、入力部３１０と、動作モード設定部３２０と、音量設定部３３０と、コンテンツ再生部３４０と、着信検知部３５０と、イヤホン出力制御部３６０と、スピーカ出力制御部３７０とを含む。
【００３２】
入力部３１０は、無線部１０４とメモリ１０６と入力部１１０とからデータの入力を受ける。データは、携帯電話の動作を規定するためのデータ、スピーカ１５０ａ，１５０ｂからの出力音量、イヤホンジャック１４０からの出力音量を規定するためのデータ、コンテンツを再生する指示信号、携帯電話１００が無線部１０４を介して受信する信号を含む。
【００３３】
動作モード設定部３２０は、入力部１１０を介して入力された指示に基づいて、携帯電話１００における音声出力の動作のモードを設定する。具体的には、動作モード設定部３２０は、その動作のモードを表わす情報をメモリ１０６ａにおいて予め確保された領域に格納する。このデータ構造については後述する。
【００３４】
音量設定部３３０は、入力部１１０を介して入力される音量を調節するための指示に基づいて、イヤホンジャック１４０あるいはスピーカ１５０ａ，１５０ｂを介して出力される音声の音量を調節する。具体的には、動作モード設定部３２０は、その調節のためのデータを、メモリ１０６ａにおいて予め確保された領域に格納する。このデータ構造については後述する。
【００３５】
コンテンツ再生部３４０は、入力部３１０により受けられた指示信号に基づいて、メモリ１０６から、当該指示信号により特定される映像データを読み出し、その映像データに基づく映像を表示部１３０に表示させる。たとえば、携帯電話１００が表示部１３０に接続されたＶＲＡＭ（Video  Random  Access  Memory）（図示しない）を有する場合、制御部１２０は、メモリ１０６ｂに格納されているコンテンツデータを、映像の表示のためにそのＶＲＡＭに確保された領域に書き込む。表示部１３０は、その領域に格納されているコンテンツデータに基づいて映像を再生する。
【００３６】
着信検知部３５０は、入力部３１０を介して入力される信号に基づいて、無線部１０４を介して受ける無線電話の着信を検知する。着信検知部３５０は、その着信の検知に応答して、イヤホン出力制御部３６０あるいはスピーカ出力制御部３７０に対して、着信を槌するための処理を実行させるための指示を出力する。この場合、出力先の選択は、メモリ１０６ａに格納される制御データに基づいて行なわれる。
【００３７】
イヤホン出力制御部３６０は、メモリ１０６ａに格納されているデータに基づいて、イヤホンジャック１４０を介して出力される音声の音量を制御する。
【００３８】
スピーカ出力制御部３７０は、メモリ１０６ａに格納されているスピーカ１５０ａ，１５０ｂに対する音声の音量を調節するためのデータに基づいて、スピーカ１５０ａ，１５０ｂによる音声の出力を制御する。
【００３９】
ここで、図４を参照して、携帯電話１００のデータ構造について説明する。図４は、メモリ１００におけるデータの格納の一態様を表わす図である。メモリ１０６は、メモリ１０６ａとメモリ１０６ｂとを含む。なお、メモリ１０６ａ，１０６ｂは、それぞれ物理的に別な媒体であっても一体な媒体であってもよい。メモリ１０６ａは、領域４１０〜領域４４０を含む。メモリ１０６ｂは、領域４５０〜領域４７０を含む。
【００４０】
携帯電話１００の基本的な動作を制御するためのオペレーティングシステムは、領域４１０に格納されている。携帯電話１００の動作を規定するために入力部１１０を介した入力に応じて実行される動作モード設定プログラムは、領域４２０に格納されている。入力部１１０を介した実行指令に応じて実行される音量設定プログラムは、領域４３０に格納されている。イヤホンジャック１４０およびスピーカ１５０ａ，１５０ｂに対する音声の出力を設定するために実行される音声出力プログラムは、領域４４０に格納されている。
【００４１】
さらに、予め入力された第１のコンテンツデータは、領域４５０に格納されている。同様に第２および第３のコンテンツデータは、領域４６０および領域４７０にそれぞれ格納されている。なお、ここではコンテンツデータは、ＭＰＥＧ（Moving  Picture  Experts  Group）に従うデータが示されているが、その他のデータ形式に従うコンテンツデータが格納されてもよい。なお、コンテンツデータは、映像を表示するためのデータ、音声を出力するためのデータ、文字を表示するためのテキストデータ等、携帯電話１００から出力可能なデータをいう。
【００４２】
次に、図５を参照して、本実施の形態に係る携帯電話１００の制御構造について説明する。図５は、制御部１２０が実行する音量の設定のための処理の手順を表わすフローチャートである。この処理は、音量設定プログラム（図４における領域４３０）が実行される場合に実現される。
【００４３】
ステップＳ５１０にて、制御部１２０は、通話の出力先がイヤホンジャック１４０であるか否かを判断する。この判断は、入力部１１０を介して入力される出力先を表わすためのデータに基づいて行なわれる。通話の出力先がイヤホンジャックである場合には（ステップＳ５１０にてＹＥＳ）、処理はステップＳ５２０に移される。そうでない場合には（ステップＳ５１０にてＮＯ）、処理はステップＳ５３０に移される。
【００４４】
ステップＳ５２０にて、制御部１２０は、通話の出力先をイヤホンジャック１４０とし、コンテンツの音声の出力先をスピーカとするためのデータをメモリ１０６の一次記憶領域に格納する。ステップＳ５３０にて、制御部１２０は、通話の出力先をスピーカとし、コンテンツの音声の出力先をイヤホンジャック１４０とするためのデータをメモリ１０６の一時記憶領域に格納する。
【００４５】
ステップＳ５４０にて、制御部１２０は、音量の設定のために入力部１１０を介して入力された指示に応じて、イヤホンジャック１４０に対して出力される音声信号の音量の設定を行なう。たとえば、制御部１２０は、決定ボタン１１０ａにおける上向きの矢印の押下に応じて出力される音量を上げるように、制御データを変更する。逆に、決定ボタン１１０ａにおける下向きの矢印の押下を検知すると、制御部１２０は、イヤホンジャック１４０を介した音声の出力を下げるためのデータに変更する。
【００４６】
ステップＳ５５０にて、制御部１２０は、入力部１１０を介したスピーカ１５０ａ，１５０ｂの音量の設定のための入力に応じて、スピーカ１５０ａ，１５０ｂに対する出力音声を規定するデータを変更する。このデータの変更の態様は、ステップＳ５４０における変更の態様と同様であるので、ここではその説明は繰り返さない。
【００４７】
ステップＳ５６０にて、制御部１２０は、ステップＳ５４０およびＳ５５０において設定された設定値を、メモリ１０６において予め定められている記憶領域に格納する。その後、音量の設定処理は終了する。
【００４８】
ここで図６および図７を参照して、携帯電話１００のデータ構造についてさらに説明する。図６および図７はそれぞれ、音声の出力先および音量の設定の完了の後に生成されたデータの格納の一態様を表わす図である。
【００４９】
図６を参照して、メモリ１０６は、領域６１０〜領域６４０を含む。携帯電話１００の音声の出力に関する動作モードを表わすデータは、領域６１０に格納されている。携帯電話１００の電話の出力先を表わすデータは、領域６２０に格納されている。コンテンツデータその他音声ファイルに基づく音声の出力先を表わすデータは、領域６３０に格納されている。また、携帯電話１００がテレビジョン放送信号の受信機能を有する場合には、そのテレビ音声の出力先を表わすデータは、領域６４０に格納される。当該機能を有する態様については、第２の実施の形態において詳述する。
【００５０】
たとえば、第１のモードは、無線電話による通話の出力先がイヤホンであることを表わす。また、このモードは、音声ファイルがスピーカから出力されることを表わす。この場合、テレビジョン信号に基づく音声は出力されない。この場合、たとえば「ＮＵＬＬ」を表わすデータが格納される。
【００５１】
また、第２のモードは、通話の出力先がイヤホンジャック１４０であり、コンテンツデータに基づく音声信号は出力されず、そしてテレビ音声がスピーカから出力されることを表わす。第３のモードおよび第４のモードについても同様である。またその他の組み合せに基づくモードが設定されていてもよい。図６に示されるデータ構造は、当業者にとって容易に理解できるため、さらに詳細な説明は、繰り返さない。
【００５２】
図７を参照して、メモリ１０６は、さらに領域６７０〜領域７３０を含む。出力される音量を制御するためのデータは、領域７１０に格納されている。イヤホンジャック１４０を介して出力される音量を制御するためのデータは、領域７２０に格納されている。スピーカ１５０ａ，１５０ｂを介して出力される音量を制御するためのデータは、領域７３０に格納されている。
【００５３】
たとえば第１の設定値は、デフォルトとして予め設定されている。第１の設定値によれば、イヤホンジャック１４０を介して出力される音声の音量は、「レベル３」に設定されている。同様に、この設定値において、スピーカ１５０ａ，１５０ｂから出力される音声の音量も、「レベル３」に設定されている。
【００５４】
第２の設定値および第３の設定値は、携帯電話１００の使用者により新たに設定されたものである。たとえば、第２の設定値では、イヤホンジャック１４０を介した出力レベルは、「レベル４」に設定されている。このとき、スピーカ１５０ａ，１５０ｂから出力される音声のレベルは、「レベル５」に設定されている。第３の設定値についても同様である。
【００５５】
なお、領域７１０に格納される設定は、図７に示されるものに限られない。すなわち入力部１１０を介して入力される設定値に応じて領域７２０および７３０に格納されるデータが入力され、使用者の嗜好に応じた設定値が順次格納される。
【００５６】
図８を参照して、携帯電話１００のデータ構造についてさらに説明する。図８は、メモリ１０６における動作モードと音量設定値との関係を表わすデータの格納の一態様を表わす図である。メモリ１０６は、さらに領域８１０，８２０を含む。動作モードを表わすデータは、領域８１０に格納されている。音量設定値を表わすデータは、領域８２０に格納されている。たとえば第１の動作モードと第２の設定値とは関連付けられている。同様に第２の動作モードは、第１の設定値に格納されている。第３の動作モードも第１の設定値に格納されている。このように動作モードと音量設定値とは、入力部１１０を介した入力に応じて使用者が自由に組み合せることができる。このようにすると、携帯電話１００の使用状況に応じて音声の出力態様を切り換えることができるため、特に音声の出力が制限される場所（たとえば公共施設、商業施設等）における使用に、柔軟に対応することができる。
【００５７】
図９を参照して、携帯電話１００の制御構造についてさらに説明する。図９は、制御部１２０が実行する処理の手順を表わすフローチャートである。この処理は、携帯電話１００が電話の着信を検知した場合に実行される。
【００５８】
ステップＳ９１０にて、制御部１２０は、無線部１０４からの信号に基づいて無線電話の着信を検知する。ステップＳ９２０にて、制御部１２０は、通話とコンテンツの再生とを同時に行なう場合の通話の出力先の設定がイヤホンであるか否かを判断する。この判断は、たとえば図６に示されるデータに基づいて行なわれる。通話の出力先の設定がイヤホンである場合には（ステップＳ９２０にてＹＥＳ）、処理はステップＳ９３０に移される。そうでない場合には（ステップＳ９２０にてＮＯ）、処理はステップＳ９４０に移される。
【００５９】
ステップＳ９３０にて、制御部１２０は、以下の設定に従って出力先を決定する。すなわち制御部１２０は、通話の出力先としてイヤホンに決定し、コンテンツの音声の出力先としてスピーカを選択する。この選択は、たとえば上記のように図６に示されるデータに基づいて行なわれる。
【００６０】
ステップＳ９４０にて、制御部１２０は、以下の設定に従って出力先を決定する。すなわち制御部１２０は、通話の出力先をスピーカ１５０ａ，１５０ｂに決定する。コンテンツの音声の出力先をイヤホンジャック１４０を介したイヤホン出力に決定する。この決定も、ステップＳ９３０における決定と同様に、図６に示されるデータに基づいて行なわれる。
【００６１】
ステップＳ９５０にて、制御部１２０は、スピーカ１５０ａ，１５０ｂおよびイヤホンジャック１４０を介した音声の出力を、メモリ１０６に設定されている設定値に応じて変更する。すなわち制御部１２０は、図７に示されるデータに応じてイヤホンジャック１４０およびスピーカ１５０ａ，１５０ｂのそれぞれに関連付けられている音量設定値に変更する。
【００６２】
ステップＳ９６０にて、制御部１２０は、イヤホンジャック１４０およびスピーカ１５０ａ，１５０ｂのそれぞれに、通話の音声とコンテンツデータに基づく音声とを出力する。その結果、携帯電話１００の使用者は、イヤホンジャック１４０に接続されているヘッドセット１９０を介して音声を聞くことができる。また使用者は、スピーカ１５０ａ，１５０ｂから出力される音声も聞くことができる。
【００６３】
以上のようにして、本発明の第１の実施の形態に係る携帯電話１００によると、複数の音声出力先の各々から出力される音声信号の音源は、携帯電話１００の使用者による設定に応じて変更される。したがって、使用者の嗜好に応じて、あるいは携帯電話１００が使用される場所に応じて、音声の出力態様を切り替えることができる。
【００６４】
また、携帯電話１００から出力される音声の音量は、出力先の設定に合わせて予め設定することができるため、使用者は、出力先を切り替えるごとに音量を切り替える必要がなくなる。その結果、携帯電話１００の利便性が向上し得る。
【００６５】
＜変形例＞
以下、本実施の形態の変形例について説明する。本変形例に係る移動通信端末装置は、テレビジョン放送を受信する機能を有する点で、前述の第１の実施の形態に係る携帯電話１００と異なる。
【００６６】
図１０を参照して、本変形例に係る携帯電話１０００について説明する。携帯電話１０００は、図２に示される構成に加えて、チューナ１０１０と、テレビジョン放送信号を受信するためのアンテナ１００２とを含む。携帯電話１０００は、また、制御部１２０に代えて制御部１０２０を含む。
【００６７】
制御部１０２０は、制御部１２０と同様のハードウェアによって実現される場合もある。たとえば、各処理を実現するための回路素子の組み合わせによって実現されてもよい。あるいは後述するように本変形例に係る携帯電話１０００を実現するための処理を実行するように予め構成されたソフトウェアの組み合せによって実現されてもよい。なお、チューナ１０１０は、テレビジョン放送信号を受信するためのチューナに代えて、あるいは当該チューナに加えて、ラジオ放送を受信するためのチューナであってもよい。
【００６８】
図１１を参照して、本変形例に係る携帯電話１０００が備える制御部１０２０について説明する。図１１は、制御部１０２０の機能的構成を表わすブロック図である。制御部１０２０は、図３に示される構成に対して、コンテンツ再生部３４０を有さない。制御部１０２０は、図３に示される構成に対して、チューナ１０１０による選局を実行するための選局制御部１１４０をさらに含む。
【００６９】
選局制御部１１４０は、入力部１１０に対して入力された指示に基づいてチューナ１０１０にその指示に対応する放送信号を受信させる。選局制御部１１４０は、チューナ１０１０における選局が行なわれている場合に、そのことを表わすデータを生成し、イヤホン出力制御部３６０あるいはスピーカ出力制御部３７０に対しても送出する。
【００７０】
このような構成によると、携帯電話１０００においてテレビ番組が表示されている場合に電話の着信が検知されると、メモリ１０６に予め設定されたデータに応じて音声の出力態様（出力先あるいは音量）が切り換えられる。
【００７１】
以上のようにして、本変形例に係る携帯電話１０００は、テレビジョン放送を受信している場合に電話の着信を検知すると、予め設定されている音声信号の出力先と音量レベルに応じて、通話の音声を出力する。したがって、携帯電話１０００の使用者は、テレビ番組を視聴している場合であっても、電話の着信を速やかに受けることができる。
【００７２】
＜第２の実施の形態＞
以下、本発明の第２の実施の形態について説明する。本実施の形態に係る移動通信端末装置は、イヤホンジャックを介した音声出力およびスピーカ１５０ａ，１５０ｂからの音声出力の態様を連動して変更することができる機能を有する点で、前述の実施の形態に係る携帯電話と異なる。なお、本実施の形態に係る移動通信端末装置のハードウェア構成は、前述の実施の形態において示された携帯電話１００あるいは１０００のハードウェア構成と同じである。それらの機能も同じである。したがって、ここではそれらについての説明は繰り返さない。
【００７３】
図１２を参照して、本実施の形態に係る携帯電話１００のデータ構造について説明する。図１２は、メモリ１０６におけるデータの格納の一態様を表わす図である。メモリ１０６は、領域１２１０〜領域１２５０を含む。
【００７４】
携帯電話１００の動作を制御するためのオペレーティングシステムは、領域１２１０に格納されている。携帯電話１００の動作モードを設定するために実行される動作モード設定プログラムは、領域１２２０に格納されている。携帯電話１００による音声の出力を設定するための音量設定プログラムは、領域１２３０に格納されている。携帯電話１００による音声の出力を制御するための音声出力プログラムは、領域１２４０に格納されている。携帯電話１００において音声の出力を連動して切り換えるか否かを表わすための連動設定モードは、領域１２５０に格納されている。図１２に示される例では、連動設定モードは、オンに設定されている。
【００７５】
図１３を参照して、本実施の形態に係る携帯電話１００の制御構造について説明する。図１３は、スピーカ１５０ａ，１５０ｂおよびイヤホンジャック１４０からの音声の出力を設定するために制御部１２０が実行する処理の手順を表わすフローチャートである。この処理は、入力部１１０を介した入力に応じて音量設定プログラム（図１２における領域１２３０）が実行された場合に実現される。
【００７６】
ステップＳ１３１０にて、制御部１２０は、入力部１１０を介した入力に基づいてスピーカ１５０ａ，１５０ｂからの音声の音量が「小」に設定されているか否かを判断する。その音量が「小」に設定されている場合には（ステップＳ１３１０にてＹＥＳ）、処理はステップＳ１３２０に移される。そうでない場合には（ステップＳ１３１０にてＮＯ）、処理はステップＳ１３３０に移される。
【００７７】
ステップＳ１３２０にて、制御部１２０は、スピーカの音量が小に設定されているときのイヤホンの音量が「大」、「中」、「小」のいずれであるかを判断する。イヤホンの音量が「小」に設定されている場合には、処理はステップＳ１３２２に移される。イヤホンの音量が「中」に設定されている場合には、処理はステップＳ１３２４に移される。イヤホンの音量が「大」に設定されている場合には、処理はステップＳ１３２６に移される。
【００７８】
ステップＳ１３３０にて、制御部１２０は、スピーカの音量が「中」に設定されているか否かを判断する。その音量が「中」に設定されている場合には（ステップＳ１３３０にいてＹＥＳ）、処理はステップＳ１３４０に移される。そうでない場合には（ステップＳ１３３０にてＮＯ）、処理はステップＳ１３５０に移される。
【００７９】
ステップＳ１３４０にて、制御部１２０は、スピーカの音量が「中」である場合におけるイヤホンの音量が「大」、「中」、「小」のいずれであるかを判断する。イヤホンの音量が「小」に設定されている場合には、処理はステップＳ１３４２に移される。イヤホンの音量が「中」に設定されている場合には、処理はステップＳ１３４４に移される。イヤホンの音量が「大」に設定されている場合には、ステップＳ１３４６に移される。
【００８０】
ステップＳ１３４２にて、制御部１２０は、イヤホンの音量を「小」に設定するために予め定められた制御データを、メモリ１０６において予め定められた領域に格納する。ステップＳ１３４４にて、制御部１２０は、イヤホンの音量を「中」に設定するために予め定められた制御データを、メモリ１０６の予め定められた領域に格納する。ステップＳ１３４６にて、制御部１２０は、イヤホンからの音量を「大」に設定するために予め定められたデータを、メモリ１０６において予め定められた領域に格納する。
【００８１】
ステップＳ１３５０にて、制御部１２０は、スピーカの音量が「大」に設定されているか否かを判断する。その音量が「大」に設定されている場合には（ステップＳ１３５０にてＹＥＳ）、処理はステップＳ１３６０に移される。そうでない場合には（ステップＳ１３５０にてＮＯ）、処理は終了する。
【００８２】
ステップＳ１３６０にて、制御部１２０は、スピーカの音量が「大」に設定されている場合におけるイヤホンの音量が「大」、「中」、「小」のいずれであるかを判断する。イヤホンの音量が「小」に設定されている場合には、処理はステップＳ１３６２に移される。イヤホンの音量が「中」に設定されている場合には、処理はステップＳ１３６４に移される。イヤホンの音量が「大」に設定されている場合には、処理はステップＳ１３６６に移される。
【００８３】
ステップＳ１３６２にて、制御部１２０は、イヤホンの音量を「小」に設定するために予め定められた制御データを、メモリ１０６において予め定められた領域に格納する。ステップＳ１３６４にて、制御部１２０は、イヤホンの音量を「中」に設定するために予め定められた制御データを、メモリ１０６において予め定められた領域に格納する。ステップＳ１３６６にて、制御部１２０は、イヤホンの音量を「大」に設定するために予め定められた制御データを、メモリ１０６において予め定められた領域に格納する。
【００８４】
ステップＳ１３７０にて、制御部１２０は、設定を確定するために入力部１１０を介して入力される指示に応じて、メモリ１０６の予め定められた領域に格納されているデータを、不揮発領域に書き込む。これにより、携帯電話１０００の電源がオフになってもその設定が保持される。
【００８５】
ここで図１４を参照して、本実施の形態に係る携帯電話のデータ構造についてさらに説明する。図１４は、メモリ１０６における音量を調整するためのモードの設定を表わす図である。
【００８６】
メモリ１０６は、領域１４１０と領域１４２０とを含む。領域１４２０において設定中「１」が格納されている場合、音量調整モードは、「連動」である。すなわちイヤホンジャック１４０からの出力音声とスピーカ１５０ａ，１５０ｂから出力される音声との音量の調整は、相互に連動して行なわれる。たとえばいずれかの音量が大きくされる場合、他の出力音量は小さくなる。あるいはいずれの音量も同じ方向に変化するように調整される場合もある。
【００８７】
一方、領域１４２０に格納される設定値が「０」である場合、その携帯電話においては、音量調整モードは独立（領域１４１０）に設定されることになる。この場合、携帯電話の使用者は、イヤホンジャック１４０からの音声の出力とスピーカ１５０ａ，１５０ｂからの音声の出力とをそれぞれ独立して設定することができる。
【００８８】
以上のようにして、本発明の第２の実施の形態に係る携帯電話１００は、スピーカ１５０ａ，１５０ｂに対する音声信号の出力と、イヤホンジャック１４０に対する音声信号の出力とを、関連付けて記憶する。したがって、携帯電話１００の使用者は、いずれかの音声信号の出力レベルの設定の変更に合わせて他の音声信号の出力レベルの設定も変更できるため、簡易に設定を変更できる。これにより、携帯電話の利便性が向上し得る。また、携帯電話１００の使用者は、電話の着信の有無に関わらず、コンテンツの再生あるいはテレビジョン放送の視聴を楽しむことができる。
【００８９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９０】
【図１】本発明に係る移動通信端末装置の一態様である携帯電話１００とヘッドセット１９０とが接続されている状態を表わす図である。
【図２】携帯電話１００のハードウェア構成を表わすブロック図である。
【図３】制御部１２０の機能的構成を表わすブロック図である。
【図４】携帯電話１００のメモリ１００におけるデータの格納の一態様を表わす図（その１）である。
【図５】携帯電話１００の制御部１２０が音量の設定のために実行する処理の手順を表わすフローチャートである。
【図６】携帯電話１００のメモリ１００におけるデータの格納の一態様を表わす図（その２）である。
【図７】携帯電話１００のメモリ１００におけるデータの格納の一態様を表わす図（その３）である。
【図８】携帯電話１００のメモリ１００におけるデータの格納の一態様を表わす図（その４）である。
【図９】携帯電話１００が電話の着信を検知した場合に制御部１２０が実行する処理の手順を表わすフローチャートである。
【図１０】本発明の第１の実施の形態の変形例に係る携帯電話１０００の構成を表わすブロック図である。
【図１１】制御部１０２０の機能的構成を表わすブロック図である。
【図１２】本発明の第２の実施の形態に係る携帯電話１００のメモリ１０６におけるデータの格納の一態様を表わす図である。
【図１３】制御部１２０がスピーカ１５０ａ，１５０ｂおよびイヤホンジャック１４０からの音声の出力を設定するために実行する処理の手順を表わすフローチャートである。
【図１４】本実施の形態に係る携帯電話１００のメモリ１０６における音量を調整するためのモードの設定を表わす図である。
【符号の説明】
【００９１】
１００，１０００  携帯電話、１０２，１００２  アンテナ、１０４  無線部、１０６  メモリ、１１０  入力部、１１０ａ  決定ボタン、１１０ｂ  数字ボタン、１２０，１０２０  制御部、１３０  表示部、１４０  イヤホンジャック、１５０ａ，１５０ｂ  スピーカ、１９０  ヘッドセット、３１０  入出力部、３２０  動作モード設定部、３３０  音量設定部、３４０  コンテンツ再生部、３５０  着信検知部、３６０  イヤホン出力制御部、３７０  スピーカ出力制御部、１０１０  チューナ、１１４０  選局制御部。
【図１】
2006340062.tif 000003
【図２】
2006340062.tif 000004
【図３】
2006340062.tif 000005
【図４】
2006340062.tif 000006
【図５】
2006340062.tif 000007
【図６】
2006340062.tif 000008
【図７】
2006340062.tif 000009
【図８】
2006340062.tif 000010
【図９】
2006340062.tif 000011
【図１０】
2006340062.tif 000012
【図１１】
2006340062.tif 000013
【図１２】
2006340062.tif 000014
【図１３】
2006340062.tif 000015
【図１４】
2006340062.tif 000016